(57)【要約】【課題】    使用中は常に耳当てカップとヘッドバンドの係合状態を確保できるようにした結合手段を具備する耳当て装置を提供すること。【解決手段】    耳覆い装置が耳あてカップ１０とヘッドバンド２０と両者の結合手段３０とからなる。耳あてカップ１０はカップ部材１１から延びて先端が下向きなバンド連結部材１２を有し、バンド連結部材１２に結合手段３０となる枢軸（３１）が設けられている。ヘッドバンド２０は、湾曲した外側バンド部材２１ａと内側バンド部材２１ｂが一対で形成され、各部材の基端部に設けた環状体２２ａ，２２ｂに各バンド部材を先端から摺動自在に挿入したものである。バンド部材２１ａ，２１ｂに設けた結合手段３０は、枢軸３１を通す透孔３５であって、複数のスリット（３６）が設けられている。バンド連結部材１２の枢軸を各バンド部材２１ａ，２１ｂの透孔に圧入して両者を結合する。【選択図】    図２
2008178501.tif 000002
【特許請求の範囲】
【請求項１】
耳覆い装置が耳あてカップ（１０）とヘッドバンド（２０）を結合手段（３０）によって結合したものであって、上記耳あてカップは、カップ部材（１１）と該カップ部材に設けたバンド連結部材（１２）とから形成され、上記バンド連結部材は、上記カップ部材から延びて先端が下向きに折り曲げたものであり、上記ヘッドバンドは、湾曲した外側バンド部材（２１ａ）及び内側バンド部材（２１ｂ）が一対で設けられ、各バンド部材の基端部に環状体（２２ａ，２２ｂ）を設け、該各環状体に上記バンド部材を先端から摺動自在に挿入したものであり、上記結合手段は、上記バンド連結部材に設けた枢軸（３１）と上記各バンド部材に設けた当該枢軸を通すための透孔（３５）からなり、上記枢軸が軸主体（３２）に軸方向に沿う一対の係合突条（３４）を有すると共に該軸主体の頂部に半球頭部（３３）を設けたものであり、上記透孔が円周上に複数のスリット（３６）を設けたものであり、上記係合突条の外径寸法が上記半球頭部の外径よりも若干小径に形成され、上記透孔の直径が上記枢軸の上記半球頭部の外径よりも若干小径に形成され、上記外側及び内側バンド部材を相手方の上記環状体に挿入して上記ヘッドバンドを組立て、上記バンド連結部材の上記枢軸を上記各バンド部材の上記透孔に圧入して当該枢軸の上記係合突条を上記透孔の上記スリットに係合して両者を結合し、組立てられた耳あてカップとヘッドバンド部材を外被保温布（４０）によって被覆したことを特徴とする耳覆い装置。
【請求項２】
耳あてカップとヘッドバンドの第１の結合手段は、枢軸の軸主体（３２）が、軸方向に沿い１８０度の位相角度で係合突条（３４）を設けたものであり、バンド部材の透孔（３５）が、円周部に９０度の位相角度でスリット（３６）を設けたものであることを特徴とする請求項１に記載の耳覆い装置。
【請求項３】
耳あてカップとヘッドバンドの第２の結合手段は、枢軸の軸主体（１３２）が、軸方向に沿うものであって、対角線上に形成した２条の係合突条（１３４）と、該対角線の間で９０度の位相角度で形成した１条の係合突条（１３４）を設けたものであり、バンド部材の透孔（１３５）が、円周部に９０度の位相角度でスリット（１３６）を設けたものであることを特徴とする請求項１に記載の耳覆い装置。
【請求項４】
結合手段のスリットは、バンド部材の長手方向に平行する方向の第１のスリット（１３６ａ）と、バンド部材の長手方向に直交する方向の第２のスリット（１３６ｂ）とからなり、上記第２のスリットの深さが、上記第１のスリットの深さよりも浅く形成されていることを特徴とする請求項２又は３に記載の耳覆い装置。
【発明の詳細な説明】
【技術分野】
【０００１】
本発明は、耳覆い装置に関しており、さらに詳しくは、耳当てカップとヘッドバンドの結合手段に特徴がある耳覆い装置に関するものである。
【背景技術】
【０００２】
耳覆い装置において、耳当てカップとヘッドバンドとを回動自在に結合することで、コンパクトに折り畳むことができ、搬送、保管等が容易となる結合手段が特許文献１，２に記載されている。
【特許文献１】実開昭５８−１８２５９４号公報
【特許文献２】特開平１０−７９９９４号公報
【０００３】
特許文献１に記載の手段は、ヘッドバンドとなる弧状ばね体３の自由端に連結片４を回動自在に取付け、該連結片４を耳当てカップとなる耳当て本体５に蝶番機構６によって蝶着したものであり、連結片４を弧状ばね体３に対して直角方向に回動して弧状ばね体３と耳当て本体５とを平行に配することにより、公報の第２図に示すように、耳覆い装置をコンパクトに折り畳むことができるものである。
【０００４】
しかし、特許文献１に記載された上記手段は、弧状ばね体３と連結片４が回動自在ではあるが、回動した姿勢を保持する固定構造を有していないので、弧状ばね体３と連結片４を一線上に向けて耳覆いを使用した場合、装着中に連結部分がぐら付いたりするといった問題があった。
【０００５】
また、特許文献２に記載の手段は、公報の図２９，３０に示すものであり、ヘッドバンド２３４と耳カップフレーム２１２の取付けフランジ２２０が枢軸となる取付けヘッド２５０によって回動自在に軸着されており、ヘッドバンド２３４と取付けフランジ２２０の重合部分において、ヘッドバンド２３４に１本の隆起部２５８が設けられ、取付けフランジ２２０に平行する２本の隆起部２５４が設けられている。そして、当該結合手段は、公報の図３０に示すように、ヘッドバンド２３４と耳カップフレーム２１２を平行方向にした場合、ヘッドバンド２３４の隆起部２５８が取付けフランジ２２０の隆起部２５４の間に係合して両者を一線上に固定することができるものである。
【０００６】
特許文献２に記載された上記手段は、ヘッドバンド２３４と取付けフランジ２２０を係合して両者を一線上に固定することができる点で特許文献１より優れているが、ヘッドバンド２３４の隆起部２５８が、ヘッドバンド２３４の自由端に設けられているので、当該ヘッドバンド２３４とカップフレーム２１２の取付けフランジ２２０との隙間が常に一定に維持されていないと両者の係合状態を確保できないといった問題がある。なぜなら、両者を係合する隆起部２５８，２５４は、各部材から僅かに隆起した文字通り隆起部に過ぎないものであるから、耳覆い使用中に両者の隙間が広がってしまうと係合不可となり、これでは、固定手段を備えていない特許文献１と同じ結果となってしまうことになる。
【発明の開示】
【発明が解決しようとする課題】
【０００７】
本発明が解決しようとする課題は、耳覆い装置の使用中は常に耳当てカップとヘッドバンドの係合状態を確保できるようにした結合手段を具備する耳覆い装置を提供することである。
【課題を解決するための手段】
【０００８】
解決手段の第１は、耳覆い装置が耳あてカップとヘッドバンドを結合手段によって結合したものであって、上記耳あてカップは、カップ部材と該カップ部材に設けたバンド連結部材とから形成され、上記バンド連結部材は、上記カップ部材から延びて先端が下向きに折り曲げたものであり、上記ヘッドバンドは、湾曲した外側バンド部材及び内側バンド部材が一対で設けられ、各バンド部材の基端部に環状体を設け、該各環状体に上記バンド部材を先端から摺動自在に挿入したものであり、上記結合手段は、上記バンド連結部材に設けた枢軸と上記各バンド部材に設けた当該枢軸を通すための透孔からなり、上記枢軸が軸主体に軸方向に沿う一対の係合突条を有するとともに該軸主体の頂部に半球頭部を設けたものであり、上記透孔が円周上に複数のスリットを設けたものであり、上記係合突条の外径寸法が上記半球頭部の外径よりも若干小径に形成され、上記透孔の直径が上記枢軸の上記半球頭部の外径よりも若干小径に形成され、上記外側及び内側バンド部材を相手方の上記環状体に挿入して上記ヘッドバンドを組立て、上記バンド連結部材の上記枢軸を上記各バンド部材の上記透孔に圧入して当該枢軸の上記係合突条を上記透孔の上記スリットに係合して両者を結合し、組立てられた耳あてカップとヘッドバンド部材を外被保温布によって被覆したことを特徴とするものである。
【０００９】
解決手段の第２は、解決手段の第１において、耳あてカップとヘッドバンドの第１の結合手段が、枢軸の軸主体が軸方向に沿い、１８０度の位相角度で係合突条を設けたものであり、バンド部材の透孔が、円周部に９０度の位相角度でスリットを設けたものであることを特徴とするものである。
【００１０】
解決手段の第３は、解決手段の第１において、耳あてカップとヘッドバンドの第２の結合手段が、枢軸の軸主体が軸方向に沿うものであって、対角線上に形成した２条の係合突条と、該対角線の間で９０度の位相角度で形成した１条の係合突条を設けたものであり、バンド部材の透孔が、円周部に９０度の位相角度でスリットを設けたものであることを特徴とするものである。
【００１１】
解決手段の第４は、解決手段の第２又は３において、結合手段のスリットが、バンド部材の長手方向に平行する方向の第１のスリットと、バンド部材の長手方向に直交する方向の第２のスリットとからなり、第２のスリットの深さが、第１のスリットの深さよりも浅く形成されていることを特徴とするものである。
【発明の効果】
【００１２】
請求項１は、耳あてカップとヘッドバンドの結合手段が、耳あてカップのバンド連結部材に設けた枢軸とヘッドバンドの各バンド部材に設けた当該枢軸を通すための透孔からなり、上記枢軸が軸主体に軸方向に沿う一対の係合突条を有すると共に該軸主体の頂部に半球頭部を設けたものであり、上記透孔が円周上に複数のスリットを設けたものであって、上記係合突条の外径寸法が上記半球頭部の外径よりも若干小径に形成され、上記透孔の直径が上記枢軸の上記半球頭部の外径よりも若干小径に形成されたものであるから、上記バンド連結部材の上記枢軸を上記各バンド部材の上記透孔に圧入して当該枢軸の上記係合突条を上記透孔の上記スリットに係合すると、係合突条は通常の力ではスリットから脱出しない程度に結合されるので、耳カップとヘッドバンドが使用中にがたつくことがなく安定した結合状態を維持できるものである。ただし、耳カップとヘッドバンドは、強い力で回動することで両者の結合が解除できるので、耳覆いの使用ないし折り畳みは従来同様に行うことができるものである。
【００１３】
請求項２は、枢軸の軸主体が、軸方向に沿い１８０度の位相角度で設けられたものであるから、耳カップ使用中は当該耳カップとヘッドバンドが一直線状に配置されるものであり、また、透孔のスリットが９０度の位相角度で設けられているから、枢軸を圧入する時に当該透孔の口径が広がり挿入し易くなるものである。
【００１４】
請求項３は、枢軸の軸主体が、対角線上に形成した２条の係合突条と、該対角線の間で９０度の位相角度で形成した１条の係合突条を設けたものであるから、耳覆い装置の使用時及び折畳み時のいずれの場合も３条の係合突条がスリットに係合し、使用時及び折畳み時の姿勢を確実に維持することができるものである。
【００１５】
請求項４は、スリットの深さを、バンド部材の長手方向に平行する第１のスリットよりも、バンド部材の長手方向に直交する第２のスリットを浅く形成したものであり、スリットの深さが浅い方が強い係合力を発揮するので、耳覆い装置の使用時に係合突条が第２のスリットに係合するように配置することで、使用中に耳カップ部分がふらついたりすることが防止できるものである。
【発明を実施するための最良の形態】
【００１６】
図１から図４は耳覆い装置の構造を示すものであって、図１は外皮保温布の一部を除去した耳覆い装置の全体を示す斜視図、図２はヘッドバンドと耳カップを結合した状態を示し、ａは両者の結合前を示す斜視図、ｂは両者の結合後を示す斜視図、図３は耳あてカップであって、ａは全体の斜視図、ｂは縦断面図、図４はヘッドバンドであり、ａは外側及び内側バンド部材を組立てた状態を示す斜視図、ｂは外側バンド部材の斜視図、ｃは内側バンド部材の斜視図である。
【００１７】
これらの図において、耳覆い装置１は、耳あてカップ１０とヘッドバンド２０とからなり、両者は結合手段３０により回動自在に結合されると共に、部材全体が外皮保温布４０によって被覆されているものである。
【００１８】
上記耳あてカップ１０は、耳部を覆うカップ部材１１と該カップ部材１１から延びて先端を下向きに折り曲げたバンド連結部材１２とから形成されている。
【００１９】
また、上記カップ部材１１は、断面形状が椀形状を呈しており、バンド連結部材１２を手前にした平面視でＹ字形状に形成されており、Ｙ字形状の上方部分に上方抜き孔１３及び該上方抜き孔１３に隣接して三角抜き孔１４が形成されているものである。なお、カップ部材１１の裾部には、バンド連結部材１２及びその対向する部分を除く周縁部分に断面円形の縁取り杆１５が設けられている。
【００２０】
特に図３ｂを参照して、上記バンド連結部材１２はカップ部材１１から延びており、先端が縁取り杆１５を越えた位置まで下向きに向っている。
【００２１】
上記ヘッドバンド２０は、湾曲した外側バンド部材２１ａと内側バンド部材２１ｂが一対で形成されており、各部材の基端部となる外側バンド部材２１ａでは平面視左側端、内側バンド部材２１ｂでは平面視右側端に、いずれも環状体２２ａ，２２ｂを設けたものであって、外側バンド部材２１ａの湾曲内側に内側バンド部材２１ｂを重合し、図４ａに示すように、それぞれの部材を先端から相手方の環状体２２ａ，２２ｂ内に摺動自在に挿入したものである。
【００２２】
また、記環状体２２ａ，２２ｂには、バンドの長手方向に対して平行する方向に切欠き溝２３ａ，２３ｂが形成されており、外側及び内側バンド部材２１ａ，２１ｂの挿入作業を容易にしている。外側及び内側バンド部材２１ａ，２１ｂの先端に補強リブ３７が形成されていて肉厚になっているが、各バンド部材２１ａ，２１ｂの環状体２２ａ，２２ｂへの挿入作業時に、切欠き溝２３ａ，２３ｂが広がり実質的に口径が大になって挿入作業が容易になる。
【００２３】
次に、耳あてカップとヘッドバンドを結合する結合手段について説明する。図５から図７は耳あてカップとヘッドバンドの第１の結合手段であって、図５ａはバンド連結部材の先端部を示しており、アは側面図、イは平面図、図５ｂはヘッドバンドの先端部を示しており、アは断面図、イは平面図、図６ａは耳あてカップとヘッドバンドの結合前を示す断面図、図６ｂは両者の結合後を示す断面図、図７ａは耳あてカップとヘッドバンドを直線方向に配した状態を示す平面図、図７ｂは両者を直角方向に配した状態を示す平面図である。
【００２４】
これらの図において、耳あてカップ１０とヘッドバンド２０の第１の結合手段３０は、耳あてカップ１０のバンド連結部材１２に設けた枢軸３１と、バンド部材２１ａ（２１ｂ）の先端部に設けた上記枢軸３１を通すための透孔３５である。
【００２５】
上記バンド連結部材１２に設けた枢軸３１は、軸主体３２と該軸主体３２の頂部に形成した半球頭部３３からなり（図５ａア，イ）、また、軸主体３２には、バンド連結部材１２の長手方向に平行する方向に突出し、かつ、軸方向に沿い１８０度の位相角度で設けた係合突条３４が形成されているものである（図５ａウ）。なお、上記係合突条３４は、軸主体３２を含めた外径寸法が上記半球頭部３３の外径よりも若干小径に形成されている。
【００２６】
上記枢軸３１がバンド連結部材１２に設けられていることは上記のとおりであるが、バンド連結部材１２は、カップ部材１１から延びて直角方向に折り曲がり縁取り杆１５の下方にまで至っているので、当該枢軸３１は上記縁取り杆１５の線と平行方向に向いて設けられている。
【００２７】
一方、上記バンド部材２１ａ（２１ｂ）に設けた透孔３５の直径は、上記枢軸３１の半球頭部３３の外径よりも若干小径に形成されており、また、該透孔３５の円周上には複数のスリット３６が設けられている。具体的には、該スリット３６は、９０度の位相角度で設けられている（図５ｂア，イ）。この他、バンド部材２１ａ（２１ｂ）には、当該バンド部材２１ａ（２１ｂ）の捩じれを防止するための補強リブ３７が上記透孔３５を挟んだ位置に形成されている。
【００２８】
実施形態において、本発明の耳あてカップ１０及びヘッドバンド２０は、いずれもプラスチック製であり、全体の大きさ及び各部材の厚みは従来製品と略同じ寸法であるが、因みに、耳あてカップ１０は厚さ１．５ｍｍ、バンド部材２１ａ（２１ｂ）は厚さ２．５ｍｍ、補強リブ３７は高さ０．５ｍｍである。
【００２９】
また、枢軸３１は、軸主体３２部分の直径が４．５ｍｍ、係合突起３４を含めた外径が５．６ｍｍ、半球頭部３３までの高さ２．６ｍｍであり、半球頭部３３は最大直径６ｍｍである。また、透孔３５は直径５．４ｍｍ、スリット３６は最大長さが９ｍｍ（透孔からの深さ１．８ｍｍ）、溝幅が１ｍｍである。
【００３０】
本発明は上記の構成であり、まず、外側バンド部材２１ａの湾曲内面に内側バンド部材２１ｂを重合し、各部材の先端部を相手方の環状体２２ａ，２２ｂ内に摺動自在に挿入してヘッドバンド２０を組立てる（図４ａ）。次いで、外側及び内側バンド部材２１ａ，２１ｂの透孔３５に耳あてカップ１０の枢軸３１を装着する（図２ｂ）。上記したように、枢軸３１の半球頭部３３の直径は、透孔３５の内径よりも若干小径に形成されているが、透孔３５には円周上に複数のスリット３６が設けられているから、強い力で枢軸３１を押込むと透孔３５が開いて挿入可能となる。ただし、いったん挿入された枢軸３１は、再び強い力で引き離さない限り脱出不可となる（図６ｂ）。
【００３１】
耳あてカップ１０とヘッドバンド２０が上記のように組立てられた後、組立構造体に外皮保温布４０を被覆して耳覆い装置を形成する。
【００３２】
透孔３５内に挿入された枢軸３１は、いずれの係合突条３４もスリット３６に係合しているので、結合部分がふら付いたりせずに、耳あてカップ１０とバンド部材２１ａ（２１ｂ）が安定した状態で固定されるようになっている。すなわち、図７ａに示す場合は、バンド連結部材１２とバンド部材２１ａ（２１ｂ）が平行方向に組立てられていて耳覆い装置１の使用時の形態であり、図７ｂに示す場合は、両者が直交する方向に組立てられていて耳覆い装置１は不使用時の形態となる。
【００３３】
耳覆い装置１は、外皮保温布４０によって被覆されているから、耳あてカップ１０とバンド部材２１ａ（２１ｂ）が固定されたか否かは目視で判断できないが、耳覆い装置１の使用時及び不使用時のどちらの場合でも、係合突条３４がスリット３６に係合しているので、外皮保温布４０と共に耳あてカップ１０に相当する部分を回動すると、係合突条３４がスリット３６から脱出して回動し、図７ａから図７ｂの位置まで回動すると、再び次のスリット（３６）に係合したことが目視されずに確認できる。
【００３４】
図８は耳あてカップとヘッドバンドの第２の結合手段を示している。図８ａはバンド連結部材先端部を示しており、アは側面図、イは平面図、ウは枢軸の断面図、図８ｂはヘッ
バンドを直線方向に配した状態を示す平面図、図９ｂは両者を直角方向に配した状態を示す平面図、図９ｃは枢軸の結合状態を示す拡大断面図である。なお、図８，９に付した符号は、第１の結合手段の符号に「１００」を付加したものである。
【００３５】
図８に示す第２の結合手段は、バンド連結部材１１２に設けた軸主体１３２に形成した係合突条１３４が、軸方向に沿うものであって、対角線上に設けた２条の他に、対角線の間で９０度の位相角度で設けた１条を加え全部で３条からなり、断面形状がローマ字のＴ字型を呈している。なお、バンド部材１２１ａ（１２１ｂ）に設けた透孔１３５の周縁に形成する第１及び第２のスリット１３６ａ，１３６ｂは、対角線上に形成されたもの同士が、例えば、バンド部材の長手方向に平行する方向の第１のスリット１３６ａは、第１の結合手段と同じ深さに形成されているが、バンド部材の長手方向に直交する方向の第２のスリット１３６ｂは、上記の第１のスリット１３６ａよりも浅く形成されている。
【００３６】
第２の結合手段は、軸主体１３２に形成した係合突条１３４が断面Ｔ字状であって、常時いずれかのスリット１３６ａ，１３６ｂに係合しているから、第１の結合手段に比べて耳あてカップとヘッドバンドの結合が確実になされるものとなる。すなわち、スリットは深さが浅い方が強い係合力を発揮するものであるところ、第２の結合手段は、耳覆い装置の使用時に第２のスリット１３６ｂの双方に係合突条１３４が係合するように配置されているから、耳覆い使用中に耳カップ部分がふらついたりすることが防止できる。
【００３７】
本発明の結合手段は、枢軸に形成した係合突条を透孔の内周面に設けたスリットに係合させることで耳あてカップとヘッドバンドを安定よく固定するものであって、枢軸の頂部に形成した半球頭部が透孔を形成したバンド部材から突出させているので、耳覆い装置の使用中に両者の係合状態が緩むことがなく、安定した結合状態が維持できるものである。
【図面の簡単な説明】
【００３８】
【図１】外皮保温布の一部を除去した耳覆い装置の全体を示す斜視図。
【図２】ヘッドバンドと耳カップを結合した状態を示しており、ａは両者の結合前を示す斜視図、ｂは両者の結合後を示す斜視図。
【図３】耳あてカップを示しており、ａは全体の斜視図、ｂは縦断面図。
【図４】ヘッドバンドを示しており、ａは外側及び内側バンド部材を組立てた状態を示す斜視図、ｂは外側バンド部材の斜視図、ｃは内側バンド部材の斜視図。
【図５】耳あてカップとヘッドバンドの第１の結合部材であり、ａはバンド連結部材の先端部を示しており、アは側面図、イは平面図、ｂはヘッドバンドの先端部を示しており、アは断面図、イは平面図。
【図６】耳あてカップとヘッドバンドを結合した状態を示すものであって、ａは結合前を示す断面図、ｂは結合後を示す断面図。
【図７】耳あてカップとヘッドバンドの結合部を示しており、ａは両者を直線方向に配した状態を示す平面図、ｂは両者を直角方向に配した状態を示す平面図、ｃは枢軸の結合状態を示す拡大断面図。
【図８】耳あてカップとヘッドバンドの第２の結合手段であって、ａはバンド連結部材の先端部を示しており、アは側面図、イは平面図、ウは枢軸の断面図、ｂはヘッドバンドの先端部を示しており、アは断面図、イは平面図。
【図９】耳あてカップとヘッドバンドの結合部を示しており、ａは両者を直線方向に配した状態を示す平面図、ｂは両者を直角方向に配した状態を示す平面図、ｃは枢軸の結合状態を示す拡大断面図。
【符号の説明】
【００３９】
１  耳覆い装置
１０  耳あてカップ
１１  カップ部材
１２  バンド連結部材
１３  上方抜き穴
１４  三角抜き穴
１５  縁取り杆
２０  ヘッドバンド
２１  バンド部材
２２  環状体
２３  切欠き溝
３０  結合手段
３１  枢軸
３２  軸主体
３３  半球頭部
３４  係合突条
３５  透孔
３６  スリット
３７  補強リブ
４０  外皮保温布
【図１】
2008178501.tif 000003
【図２】
2008178501.tif 000004
【図３】
2008178501.tif 000005
【図４】
2008178501.tif 000006
【図５】
2008178501.tif 000007
【図６】
2008178501.tif 000008
【図７】
2008178501.tif 000009
【図８】
2008178501.tif 000010
【図９】
2008178501.tif 000011